(57)【特許請求の範囲】
【請求項１】
住宅用の基礎に免震装置を介して木製の架台を支持させ、この架台を、枠木材と縦横木材とを組み合わせることにより構成し、これら枠木材と縦横木材との間には中空領域を形成するとともに、この中空領域には、複数の梁木材を組み合わせて架設した住宅用免震架台であって、
架台の枠木材と縦横木材のいずれかに取り付けられ、交差する複数の梁木材の端部を保持する梁受金具と、各梁木材に取り付けられる接合金具とを含み、
梁受金具は、架台の枠木材と縦横木材のいずれかに取り付けられるプレートと、このプレートに並べて設けられ、複数の梁木材の端部とそれぞれ嵌合する嵌合保持部とを含み、
接合金具は、梁木材に重なるプレートと、このプレートに設けられて梁木材内に埋まる突部と、プレートに設けられる締結具用の支持部と、この支持部に支持されて架台の枠木材と縦横木材のいずれかに挿入される締結具とを含んでなることを特徴とする住宅用免震架台。
【請求項２】
接合金具の突部を略筒形に形成し、この突部に、梁木材に挿入される締結具を支持させるようにした請求項１記載の住宅用免震架台。
【請求項３】
接合金具の支持部を略筒形に形成し、この支持部に締結具の端部を貫通支持させるようにした請求項１又は２記載の住宅用免震架台。
【発明の詳細な説明】
【技術分野】
【０００１】
本発明は、基礎に免震装置を介して支持される住宅用免震架台に関するものである。
【背景技術】
【０００２】
近年、地震に伴う家屋の倒壊を抑制し、居住者の生命や財産を守るべく、個人住宅に各種の免震対策が施されてきている。この種の免震対策は、図示しないが、例えば個人住宅用の基礎に強固な鋼製の架台を免震装置を介して支持させる等の対策である（特許文献１、２参照）。
【０００３】
しかしながら、この種の免震対策は、重い鋼製の架台を使用するので、基礎の打設や架台の腐食に注意を要し、しかも、建設コストの大幅な増大を招くので、住宅販売に支障を来たすという大きな問題が新たに生じることとなる。この問題に鑑み、基礎に作業性の良い軽量な木製の架台を免震装置を介して支持させるという方法が提案されている。
【特許文献１】特開２００７‐１９１９６７号公報
【特許文献２】特開２００６‐２６６０６２号公報
【発明の開示】
【発明が解決しようとする課題】
【０００４】
しかし、基礎に木製の架台を単に使用する場合には、鋼製の架台とは異なり、腐食という欠点を補い、作業性を向上させ、さらには建設コストを低減することができるものの、地震発生時の引張り作用には脆く、結果として架台が変形してしまうおそれが少なくない。
【０００５】
本発明は上記に鑑みなされたもので、地震発生時の引張りに対する強度を向上させ、架台の変形を抑制し、建設コストを低減することができる住宅用免震架台を提供することを目的としている。
【課題を解決するための手段】
【０００６】
本発明においては上記課題を解決するため、住宅用の基礎に免震装置を介して木製の架台を支持させ、この架台を、枠木材と縦横木材とを組み合わせることにより構成し、これら枠木材と縦横木材との間には中空領域を形成するとともに、この中空領域には、複数の梁木材を組み合わせて架設したものであって、
架台の枠木材と縦横木材のいずれかに取り付けられ、交差する複数の梁木材の端部を保持する梁受金具と、各梁木材に取り付けられる接合金具とを含み、
梁受金具は、架台の枠木材と縦横木材のいずれかに取り付けられるプレートと、このプレートに並べて設けられ、複数の梁木材の端部とそれぞれ嵌合する嵌合保持部とを含み、
接合金具は、梁木材に重なるプレートと、このプレートに設けられて梁木材内に埋まる突部と、プレートに設けられる締結具用の支持部と、この支持部に支持されて架台の枠木材と縦横木材のいずれかに挿入される締結具とを含んでなることを特徴としている。
【０００７】
なお、接合金具の突部を略筒形に形成し、この突部に、梁木材に挿入される締結具を支持させることができる。
また、接合金具の支持部を略筒形に形成し、この支持部に締結具の端部を貫通支持させることもできる。
【０００８】
ここで、特許請求の範囲における架台や梁木材は、例えばヒノキ、スギ、ヒバ、クリ、針葉樹集成材等の木材が使用されるが、好ましくは針葉樹集成材が最適である。架台は、平面視で正方形、長方形、多角形等に形成され、単数複数を特に問うものではない。この架台には、単数複数の中空領域が形成される。また、接合金具の突部は、円形、楕円形、多角形の筒形が主ではあるが、柱形でも良く、単数複数を特に問うものではない。接合金具の支持部についても、単数複数を問うものではない。この接合金具の支持部は、略筒形に形成するのが良いが、特に問題がなければ、袋形等に形成しても良い。
【発明の効果】
【０００９】
本発明によれば、地震発生時の引張りに対する強度を向上させ、架台の変形を抑制し、建設コストを低減することができるという効果がある。
また、接合金具の突部を略筒形に形成し、この突部に、梁木材に挿入される締結具を支持させれば、梁木材内に締結具が埋没してずれ等を防ぐことができる。この結果、締結具を支持させない場合に比べ、地震発生時の引張りに対する強度をさらに向上させることができる。
【００１０】
さらに、接合金具の支持部を略筒形に形成し、この支持部に締結具の端部を貫通支持させれば、支持部に締結具を円滑に螺子嵌めすることができる。
【発明を実施するための最良の形態】
【００１１】
以下、図面を参照して本発明に係る住宅用免震架台の好ましい実施形態を説明すると、本実施形態における住宅用免震架台は、図１ないし図９に示すように、個人住宅用の基礎に複数の免震装置を介して木製の架台１を支持させ、この架台１を、枠木材２と複数の縦横木材３との組み合わせにより構成し、これら枠木材２と複数の縦横木材３との間の中空領域４に、複数の梁木材５・５Ａを架設した免震架台であって、架台１の枠木材２や縦横木材３に螺着され、複数の梁木材５・５Ａを保持する金属製の複数の梁受金具１０と、各梁木材５・５Ａに螺着される金属製の複数の接合金具２０とを備えるようにしている。
【００１２】
個人住宅用の基礎は、図示しないコンクリートにより地盤上に打設され、防湿処理や防蟻処理等が適宜施される。この基礎には、布基礎やベタ基礎等のタイプがあるが、特に限定されるものではない。また、各免震装置は、図示しないが、例えば免震ダンパータイプや免震ゴムタイプ、ローラ支承タイプ、ボール支承タイプ等からなり、基礎上に所定の間隔をおいて設置される。
【００１３】
架台１は、図１に示すように、基礎上に複数の免震装置を介して水平に支持される平面略矩形の枠木材２を備え、この枠木材２内に、複数の縦横木材３が縦横に水平に架設されることにより構成される。この架台１の四隅部は、図示しない平面略Ｌ字形の金具を介して強固に固定される。また、架台１の枠木材２と複数の縦横木材３とは、締結具を介した複数の木材の連結により形成され、ボルト用の貫通孔が必要数穿孔される。
【００１４】
架台１の枠木材２と複数の縦横木材３との間には、平面矩形を呈する複数の中空領域４が配列形成され、各中空領域４には、複数の梁木材５・５Ａが縦、横、斜めに水平に架設されて強度や剛性を向上させるよう機能する。この複数の梁木材５・５Ａは、枠木材２内の縦横方向に水平に架設される梁木材５と、枠木材２内の斜め方向に水平に架設される梁木材５Ａとを備え、縦横方向に伸びる梁木材５と斜め方向に伸びる梁木材５Ａとの大きさが相違する。
【００１５】
複数の梁木材５・５Ａには、ボルト用の貫通孔が必要数穿孔される。また、斜め方向に伸びる梁木材５Ａの端部は、図１や図２に示すように、先細りに形成され、縦横方向に伸びる梁木材５の端部に横方向から交差して接合されており、縦横方向に伸びる梁木材５の端部と相俟って平面略矢印形を呈する。
【００１６】
各梁受金具１０は、図２、図４ないし図７に示すように、架台１の枠木材２あるいは縦横木材３の側面に締結具を介して螺着される略平坦なプレート１１と、このプレート１１の表面に並設され、交差する３本の梁木材５・５Ａの端部とそれぞれ嵌合する複数の嵌合保持部１２とを備えて形成される。この梁受金具１０のプレート１１は、上端部が略Ｌ字形に屈曲して枠木材２あるいは縦横木材３の上面に螺着係止し、軽量化に資する複数の貫通口が形成される。
【００１７】
複数の嵌合保持部１２は、大きさの異なるＵ字形に形成され、中央の大きな嵌合保持部１２に縦横方向に伸びる梁木材５の端部が嵌合されており、この中央の嵌合保持部１２の左右両側に位置する小さな嵌合保持部１２に、斜め方向に伸びる梁木材５Ａの先細りの端部が嵌合される。左右両側の嵌合保持部１２の外側部は、梁木材５Ａとの嵌合が容易なよう所定の角度で拡開形成される。また、各嵌合保持部１２は、その上方が開口形成され、この上方の開口に梁木材５・５Ａの端部が上方から嵌入される。
【００１８】
各接合金具２０は、図８ないし図１０に示すように、梁木材５・５Ａの端部側面に積層して固定される平坦なプレート２１と、このプレート２１の裏側に間隔をおき突設されて梁木材５・５Ａに予め穿孔された穴内に埋没する複数（本実施形態では２個）の突部２２と、プレート２１の表面側端部に突設される締結具用の支持部２５と、この支持部２５に貫通支持されて枠木材２あるいは縦横木材３に挿通される通しボルト２３とを備えて形成される。
【００１９】
接合金具２０の各突部２２は、略有底円筒形に形成され、底部の中心の螺子穴には、梁木材５・５Ａの端部に挿通される通しボルト２３が螺挿されており、この通しボルト２３の梁木材５・５Ａを貫通した露出部には、固定用のナット２４が螺嵌される。また、接合金具２０の支持部２５は、作業の容易化を図る観点から貫通した略円筒形に形成され、通しボルト２３の端部が螺嵌して貫通支持されており、この通しボルト２３が枠木材２あるいは縦横木材３に挿入される。この支持部２５の枠木材２あるいは縦横木材３側に位置する表面には、作業の容易化を図る切り欠き２６が通しボルト２３の長手方向に形成される。
【００２０】
上記において、基礎に、地震発生時の変形に強い架台１を組み立てて設置する場合には、先ず、架台１の枠木材２や縦横木材３に梁受金具１０を螺着するとともに、各梁木材５・５Ａの端部に接合金具２０を螺着する。この際、各梁木材５・５Ａに接合金具２０の突部２２の通しボルト２３を挿入して螺嵌し、各梁木材５・５Ａの穴に接合金具２０の突部２２を嵌入し、各梁木材５・５Ａから接合金具２０が長手方向にずれないようにする。
【００２１】
こうして梁受金具１０や接合金具２０を螺着したら、梁受金具１０の複数の嵌合保持部１２に梁木材５・５Ａの端部をそれぞれ嵌合支持させ、枠木材２や縦横木材３に通しボルト２３を挿入してその端部を各接合金具２０の支持部２５に螺嵌すれば、架台１を組み立てて設置することができる。この際、接合金具２０の支持部２５が略筒形で、しかも、通しボルト２３の傾斜を許容する切り欠き２６が形成されているので、通しボルト２３の挿入に支障を来たすことが実に少ない。
【００２２】
上記構成によれば、作業性に優れ、腐食という問題を補うことのできる木製の軽い架台１を使用するので、建設コストを著しく低減することができ、住宅の販売に支障を来たすことがない。また、鋼製の架台１を使用しないので、住宅の耐用年数以上の耐用を確保することができる。また、接合金具２０の突部２２や通しボルト２３が梁木材５・５Ａ内に埋没して一体化し、位置ずれ等を有効に防ぐので、地震発生時の圧縮作用のみならず、引張り作用に対する強度を大幅に向上させ、これを通じて架台１が菱形等に大きく変形するのを防止することができる。
【００２３】
また、接合金具２０の支持部２５が有底円筒形ではなく、略筒形に形成され、しかも、支持部２５の枠木材２あるいは縦横木材３側に位置する表面には、切り欠き２６が形成されるので、支持部２５に対する通しボルト２３の螺挿に支障を来たすことが実に少ない。したがって、中空領域４に複数の梁木材５・５Ａを架設する際の作業性の向上が大いに期待できる。さらに、専用の梁受金具１０を使用して木材を接合し、接合強度を高めるので、架台１の枠木材２や縦横木材３を凹み形成し、この凹み部分に複数の梁木材５・５Ａを接合する必要もない。
【００２４】
なお、上記実施形態では図１に示す架台１を示したが、何らこれに限定されるものではない。例えば、架台１の四隅部に、枠木材２内の斜め方向に伸びる梁木材５Ａをそれぞれ架設して強度や剛性を確保しても良い。また、接合金具２０の突部２２は、円柱形等でも良い。
【図面の簡単な説明】
【００２５】
【図１】本発明に係る住宅用免震架台の実施形態を模式的に示す平面図である。
【図２】本発明に係る住宅用免震架台の実施形態を模式的に示す要部平面説明図である。
【図３】本発明に係る住宅用免震架台の実施形態を模式的に示す正面説明図である。
【図４】本発明に係る住宅用免震架台の実施形態を模式的に示す分解斜視図である。
【図５】本発明に係る住宅用免震架台の実施形態における梁受金具を模式的に示す正面説明図である。
【図６】図５の側面図である。
【図７】図５の平面説明図である。
【図８】本発明に係る住宅用免震架台の実施形態における接合金具を模式的に示す平面説明図である。
【図９】本発明に係る住宅用免震架台の実施形態における接合金具を模式的に示す説明図である。
【図１０】本発明に係る住宅用免震架台の実施形態における接合金具を模式的に示す側面説明図である。
【符号の説明】
【００２６】
１        架台
２        枠木材
３        縦横木材
４        中空領域
５        梁木材
５Ａ      梁木材
１０      梁受金具
１１      プレート
１２      嵌合保持部
２０      接合金具  
２１      プレート
２２      突部
２３      通しボルト（締結具）
２５      支持部
【図１】
0004491004.tif 000002
【図２】
0004491004.tif 000003
【図３】
0004491004.tif 000004
【図４】
0004491004.tif 000005
【図５】
0004491004.tif 000006
【図６】
0004491004.tif 000007
【図７】
0004491004.tif 000008
【図８】
0004491004.tif 000009
【図９】
0004491004.tif 000010
【図１０】
0004491004.tif 000011